(57)【要約】      （修正有）【課題】支柱に接続された梁から吊り下げられるシートによって空間を区画する間仕切にて、簡単に組み立て可能で拡張やサイズ調整が容易なものを提供する。【解決手段】この間仕切り１００は、支柱１０が、紙製パイプで構成され、梁２０の端部が嵌合可能に構成された嵌合孔を側面に備える。梁２０も、紙製パイプで構成され、梁２０の端部が嵌合孔に嵌合されることで支柱１０に接続される。シート３０は、梁２０が貫通可能に構成された貫通孔を端部に備え、梁２０が貫通孔に貫通した状態にて、梁２０から吊り下げられるように構成されている。これにより、持ち運び等の作業も含め、手作業で簡単に組み立てることが可能となる。加えて、嵌合孔の位置や個数の調整で、拡張やサイズ調整が容易となり得る。【選択図】図１
0003230706.tif 000002
【実用新案登録請求の範囲】
【請求項１】
少なくとも２本の支柱に接続された梁から吊り下げられるシートによって空間を区画可能に構成された間仕切りにおいて、
前記支柱は、
紙製パイプで構成されるとともに、前記梁の端部が嵌合可能に構成された嵌合孔を側面に備え、
前記梁は、
紙製パイプで構成されるとともに、前記梁の前記端部が前記嵌合孔に嵌合されることで、前記支柱に接続されるように構成され、
前記シートは、
前記梁が貫通可能に構成された貫通孔を端部に備え、前記梁が前記貫通孔に貫通した状態にて、前記梁から吊り下げられるように構成された間仕切り。
【請求項２】
請求項１に記載の間仕切りにおいて、
前記支柱は、
第１支柱、第２支柱、第３支柱、および第４支柱の４本で構成されるとともに、それぞれ前記嵌合孔を２通り備えるよう構成され、
前記梁は、
前記第１支柱の一方の前記嵌合孔に一端が嵌合されるとともに、前記第２支柱の一方の前記嵌合孔に他端が嵌合されるように構成された第１梁、
前記第２支柱の他方の前記嵌合孔に一端が嵌合されるとともに、前記第３支柱の一方の前記嵌合孔に他端が嵌合されるように構成された第２梁、
前記第３支柱の他方の前記嵌合孔に一端が嵌合されるとともに、前記第４支柱の一方の前記嵌合孔に他端が嵌合されるように構成された第３梁、および
前記第４支柱の他方の前記嵌合孔に一端が嵌合されるとともに、前記第１支柱の他方の前記嵌合孔に他端が嵌合されるように構成された第４梁、
の４本で構成され、
前記４本の前記梁がそれぞれ接続されて、前記４本の前記支柱がそれぞれ自立可能に組み立てられる間仕切り。
【請求項３】
請求項２に記載の間仕切りにおいて、
前記４本の前記支柱における前記嵌合孔の位置は、
前記４本の前記梁がそれぞれ接続されたとき、前記梁および前記支柱が互いに直交するように調整された間仕切り。
【請求項４】
請求項３に記載の間仕切りにおいて、
前記４本の前記支柱における前記嵌合孔の位置は、
前記４本の前記梁がそれぞれ接続されたとき、２つの隣り合う前記梁が互いに直交するように調整された間仕切り。
【請求項５】
請求項４に記載の間仕切りにおいて、
前記第１支柱における２通りの前記嵌合孔の位置は、
前記第１梁が嵌合される前記一方の前記嵌合孔が、前記第４梁が嵌合される前記他方の前記嵌合孔よりも上側となるようにそれぞれ調整され、
前記第２支柱における２通りの前記嵌合孔の位置は、
前記第１梁が嵌合される前記一方の前記嵌合孔が、前記第２梁が嵌合される前記他方の前記嵌合孔よりも上側となるようにそれぞれ調整され、
前記第３支柱における２通りの前記嵌合孔の位置は、
前記第２梁が嵌合される前記一方の前記嵌合孔が、前記第３梁が嵌合される前記他方の前記嵌合孔よりも下側となるようにそれぞれ調整され、
前記第４支柱における２通りの前記嵌合孔の位置は、
前記第３梁が嵌合される前記一方の前記嵌合孔が、前記第４梁が嵌合される前記他方の前記嵌合孔よりも上側となるようにそれぞれ調整された間仕切り。
【請求項６】
請求項５に記載の間仕切りにおいて、
前記第１支柱における前記一方の前記嵌合孔は、
前記第１支柱の軸に沿って複数個配設されるとともに、前記第１梁の前記一端における嵌合位置が、前記複数個の前記嵌合孔の中から選択可能に構成され、
前記第２支柱における前記一方の前記嵌合孔は、
前記第２支柱の軸に沿って複数個配設されるとともに、前記第１梁の前記他端における嵌合位置が、前記複数個の前記嵌合孔の中から選択可能に構成され、
前記第３支柱における前記他方の前記嵌合孔は、
前記第３支柱の軸に沿って複数個配設されるとともに、前記第３梁の前記一端における嵌合位置が、前記複数個の前記嵌合孔の中から選択可能に構成され、
前記第４支柱における前記一方の前記嵌合孔は、
前記第４支柱の軸に沿って複数個配設されるとともに、前記第３梁の前記他端における嵌合位置が、前記複数個の前記嵌合孔の中から選択可能に構成された間仕切り。
【請求項７】
請求項６に記載の間仕切りにおいて、
前記第１支柱における前記他方の前記嵌合孔は、
前記第１支柱の軸に沿って複数個配設されるとともに、前記第４梁の前記他端における嵌合位置が、前記複数個の前記嵌合孔の中から選択可能に構成され、
前記第２支柱における前記他方の前記嵌合孔は、
前記第２支柱の軸に沿って複数個配設されるとともに、前記第２梁の前記一端における嵌合位置が、前記複数個の前記嵌合孔の中から選択可能に構成され、
前記第３支柱における前記一方の前記嵌合孔は、
前記第３支柱の軸に沿って複数個配設されるとともに、前記第２梁の前記他端における嵌合位置が、前記複数個の前記嵌合孔の中から選択可能に構成され、
前記第４支柱における前記他方の前記嵌合孔は、
前記第４支柱の軸に沿って複数個配設されるとともに、前記第４梁の前記一端における嵌合位置が、前記複数個の前記嵌合孔の中から選択可能に構成された間仕切り。
【請求項８】
請求項５乃至請求項７の何れか一項に記載の間仕切りにおいて、
前記４本の前記梁がそれぞれ接続されて、前記４本の前記支柱がそれぞれ自立可能に組み立てられるユニットが、複数の前記ユニット同士で連結可能に構成された間仕切り。
【請求項９】
請求項８に記載の間仕切りにおいて、
２つの前記ユニットの連結は、
一方の前記ユニットにおける前記支柱と、他方の前記ユニットにおける前記支柱とが、前記第１梁、前記第２梁、前記第３梁、および前記第４梁以外に、更に追加された前記梁で接続されることで達成される間仕切り。
【請求項１０】
請求項９に記載の間仕切りにおいて、
前記シートは、
前記ユニットの前記連結の際に前記更に追加される前記梁に、更に吊り下げられるように構成された間仕切り。
【請求項１１】
請求項１乃至請求項１０の何れか一項に記載の間仕切りにおいて、
前記支柱および前記梁は、
前記支柱のパイプ径が、前記梁のパイプ径よりも大きくなるように構成された間仕切り。
【請求項１２】
請求項１乃至請求項１１の何れか一項に記載の間仕切りにおいて、
前記シートは、
正方形状または長方形状に構成され、前記支柱および前記梁が組み立てられた後に、一辺に対応する前記端部が前記梁に巻き付けられて、前記貫通孔が形成されるとともに前記貫通孔へ前記梁が貫通することで、前記梁から吊り下げられるように構成された間仕切り。
【考案の詳細な説明】
【技術分野】
【０００１】
本考案は、少なくとも２本の支柱に接続された梁から吊り下げられるシートによって空間を区画可能に構成された間仕切りに関する。
【背景技術】
【０００２】
従来より、不特定多数の人が集まるシーンにおいて、プライバシーの確保等の目的で、間仕切りに対する需要が多い。使用時に組み立て易く、不使用時に収納し易いといった要求に対し、下記特許文献に記載の間仕切りが、開示されている。この間仕切りは、複数の支柱および支柱に接続された梁を含む骨格と、梁から吊り下げられるシートとにより、使用時には、多角形筒状に構成されて自立可能となっている。また、不使用時には、骨格が折り畳まれて収納可能となっている。このようにして、上記要求の対応がなされている。
【先行技術文献】
【特許文献】
【０００３】
【特許文献１】特開２０２０−５６２７８号公報
【考案の概要】
【０００４】
近年、災害時の避難場所での使用や、感染症対策としての使用等で、間仕切りの需要は、更に高まっている。この種の用途の場合、迅速な設置が求められる場合が多く、より簡単に組み立て可能なものが要望されている。加え、規模や使われ方に応じて、拡張やサイズ調整の容易さも、重要視される。このような課題や解決手段については、上記特許文献では触れられていない。
【０００５】
本考案の目的は、少なくとも２本の支柱に接続された梁から吊り下げられるシートによって空間を区画可能に構成された間仕切りにおいて、簡単に組み立て可能で、拡張やサイズ調整が容易となり得るものを提供することにある。
【０００６】
本考案による間仕切りは、少なくとも２本の支柱に接続された梁から吊り下げられるシートによって空間を区画可能に構成される。
【０００７】
本考案による間仕切りの特徴は、支柱が、紙製パイプで構成されるとともに、梁の端部が嵌合可能に構成された嵌合孔を側面に備え、梁が、紙製パイプで構成されるとともに、梁の端部が嵌合孔に嵌合されることで支柱に接続されるように構成され、シートは、梁が貫通可能に構成された貫通孔を端部に備え、梁が貫通孔に貫通した状態にて梁から吊り下げられるように構成されたことにある。
【０００８】
これによれば、支柱および梁は軽量であり、嵌合によって相互に接続される。従って、持ち運び等の作業も含め、手作業で簡単に組み立てることが可能となる。加え、嵌合孔の位置や個数の調整で、拡張やサイズ調整が容易となり得る。
【０００９】
上記考案に係る間仕切りにおいて、支柱は、第１支柱、第２支柱、第３支柱、および第４支柱の４本で構成されるとともにそれぞれ嵌合孔を２通り備えるよう構成され、梁は、第１支柱の一方の嵌合孔に一端が嵌合されるとともに第２支柱の一方の嵌合孔に他端が嵌合されるように構成された第１梁、第２支柱の他方の嵌合孔に一端が嵌合されるとともに第３支柱の一方の嵌合孔に他端が嵌合されるように構成された第２梁、第３支柱の他方の嵌合孔に一端が嵌合されるとともに第４支柱の一方の嵌合孔に他端が嵌合されるように構成された第３梁、および第４支柱の他方の嵌合孔に一端が嵌合されるとともに第１支柱の他方の嵌合孔に他端が嵌合されるように構成された第４梁、の４本で構成され、４本の梁がそれぞれ接続されて、４本の支柱がそれぞれ自立可能に組み立てられてもよい。
【００１０】
上記考案に係る間仕切りにおいて、４本の支柱における嵌合孔の位置は、４本の梁がそれぞれ接続されたとき、梁および支柱が互いに直交するように調整されてもよい。
【００１１】
上記考案に係る間仕切りにおいて、４本の支柱における嵌合孔の位置は、４本の梁がそれぞれ接続されたとき、２つの隣り合う梁が互いに直交するように調整されてもよい。
【００１２】
上記考案に係る間仕切りにおいて、第１支柱における２通りの嵌合孔の位置は、第１梁が嵌合される一方の嵌合孔が、第４梁が嵌合される他方の嵌合孔よりも上側となるようにそれぞれ調整され、第２支柱における２通りの嵌合孔の位置が、第１梁が嵌合される一方の嵌合孔が、第２梁が嵌合される他方の嵌合孔よりも上側となるようにそれぞれ調整され、第３支柱における２通りの嵌合孔の位置が、第２梁が嵌合される一方の嵌合孔が、第３梁が嵌合される他方の嵌合孔よりも下側となるようにそれぞれ調整され、第４支柱における２通りの嵌合孔の位置が、第３梁が嵌合される一方の嵌合孔が、第４梁が嵌合される他方の嵌合孔よりも上側となるようにそれぞれ調整されてもよい。
【００１３】
上記考案に係る間仕切りにおいて、第１支柱における一方の嵌合孔は、第１支柱の軸に沿って複数個配設されるとともに、第１梁の一端における嵌合位置が複数個の嵌合孔の中から選択可能に構成され、第２支柱における一方の嵌合孔が、第２支柱の軸に沿って複数個配設されるとともに、第１梁の他端における嵌合位置が複数個の嵌合孔の中から選択可能に構成され、第３支柱における他方の嵌合孔が、第３支柱の軸に沿って複数個配設されるとともに、第３梁の一端における嵌合位置が複数個の嵌合孔の中から選択可能に構成され、第４支柱における一方の嵌合孔が、第４支柱の軸に沿って複数個配設されるとともに、第３梁の他端における嵌合位置が複数個の嵌合孔の中から選択可能に構成されてもよい。
【００１４】
上記考案に係る間仕切りにおいて、第１支柱における他方の嵌合孔は、第１支柱の軸に沿って複数個配設されるとともに、第４梁の他端における嵌合位置が複数個の嵌合孔の中から選択可能に構成され、第２支柱における他方の嵌合孔が、第２支柱の軸に沿って複数個配設されるとともに、第２梁の一端における嵌合位置が複数個の嵌合孔の中から選択可能に構成され、第３支柱における一方の嵌合孔が、第３支柱の軸に沿って複数個配設されるとともに、第２梁の他端における嵌合位置が複数個の嵌合孔の中から選択可能に構成され、第４支柱における他方の嵌合孔が、第４支柱の軸に沿って複数個配設されるとともに、第４梁の一端における嵌合位置が複数個の嵌合孔の中から選択可能に構成されてもよい。
【００１５】
上記考案に係る間仕切りにおいて、４本の梁がそれぞれ接続されて４本の支柱がそれぞれ自立可能に組み立てられるユニットが、複数のユニット同士で連結可能に構成されてもよい。
【００１６】
上記考案に係る間仕切りにおいて、２つのユニットの連結は、一方のユニットにおける支柱と、他方のユニットにおける支柱とが、第１梁、第２梁、第３梁、および第４梁以外に、更に追加された梁で接続されることで達成されてもよい。
【００１７】
上記考案に係る間仕切りにおいて、シートが、ユニットの連結の際に更に追加される梁に、更に吊り下げられるように構成されてもよい。
【００１８】
上記考案に係る間仕切りにおいて、支柱および梁は、支柱のパイプ径が、梁のパイプ径よりも大きくなるように構成されてもよい。
【００１９】
上記考案に係る間仕切りにおいては、シートが、正方形状または長方形状に構成され、支柱および梁が組み立てられた後に、一辺に対応する端部が梁に巻き付けられて、貫通孔が形成されるとともに貫通孔へ梁が貫通することで、梁から吊り下げられるように構成されてもよい。
【図面の簡単な説明】
【００２０】
【図１】本考案の実施形態に係る間仕切りの全体概要を説明するための図である。
【図２】図１に示した間仕切りにおけるユニットを説明するための図である。
【図３】図１に示した間仕切りにおける支柱の詳細を説明するための図である。
【考案を実施するための形態】
【００２１】
以下、本考案による間仕切りの実施形態について図面を参照しつつ説明する。
【００２２】
図１は、本考案の実施形態に係る間仕切り１００の全体概要を説明するための図である。間仕切り１００は、支柱１０と、梁２０と、シート３０とを備えている。４本の梁２０が４本の支柱１０にそれぞれ接続されて、４本の支柱１０がそれぞれ自立可能に組み立てられる。支柱１０の側面には、梁２０の端部が嵌合可能に構成された嵌合孔を備えている。梁２０は、端部が嵌合孔に嵌合されることで、支柱１０と接続されるようになっている。
【００２３】
シート３０は、梁２０から吊り下げられる。これにより、空間を区画可能に構成されている。４本の支柱１０に４本の梁２０が接続され、梁２０にシート３０が吊り下げられた状態で、ユニット４０が構成される。このユニット４０は、複数のユニット４０同士で連結可能となっている。
【００２４】
図２は、本考案の実施形態に係る間仕切り１００におけるユニット４０を説明するための図である。ユニット４０は、第１支柱１１、第２支柱１２、第３支柱１３、第４支柱１４、第１梁２１、第２梁２２、第３梁２３、第４梁２４、およびシート３０を備えている。
【００２５】
第１支柱１１、第２支柱１２、第３支柱１３、第４支柱１４、第１梁２１、第２梁２２、第３梁２３、第４梁２４は、それぞれ紙製パイプで構成されている。第１支柱１１、第２支柱１２、第３支柱１３、および第４支柱１４は、同じパイプ径・パイプ長を有している。第１梁２１、第２梁２２、第３梁２３、および第４梁２４は、同じパイプ径・パイプ長を有している。
【００２６】
４本の支柱１０のパイプ径は、４本の梁２０のパイプ径よりも大きくなるように構成されている。例えば、支柱１０は、外径９６ｍｍ、内径９０ｍｍ、厚み３．０ｍｍ、長さ２，０００ｍｍとなるように構成され、梁２０は、外径５６ｍｍ、内径５０ｍｍ、厚み３．０ｍｍ、長さ２，０００ｍｍとなるように構成されると好適である。これにより、軽量化かつ強度担保の両立が可能となる。
【００２７】
シート３０は、梁２０が貫通可能に構成された貫通孔３１を端部に備えている。シート３０は、梁２０が貫通孔３１に貫通した状態にて、梁２０から吊り下げられるように構成されている。シート３０は、例えば、正方形状または長方形状に構成され、骨格を組み立てた後に、貫通孔３１を形成するようにシート３０の１辺端部を梁２０に巻いて、安全ピン等の係止具で留められるようになっていると好適である。
【００２８】
シート３０は、所定の布材料、ビニル材料等で構成される。その材料は、使用目的に応じて防視認性の素材、透明性の素材、抗菌性の素材等、選択されると好適である。また、シート３０が、正方形状に構成される場合、例えば、１辺２，４００ｍｍとなるように構成されると好適である。これにより、貫通孔３１を形成する際、シート３０の縦横を気にする必要がなく、作業効率が向上し得る。
【００２９】
図３は、本考案の実施形態に係る間仕切り１００における支柱１０の詳細を説明するための図である。支柱１０は、それぞれ同じサイズの第１支柱１１、第２支柱１２、第３支柱１３、および第４支柱１４の４本で構成されている。これらは、２通りの嵌合孔を各側面にてそれぞれ備えており、嵌合孔のサイズ、配設位置は、それぞれ同一である。また、全ての嵌合孔は、各支柱１０を貫通するようそれぞれ形成されている。
【００３０】
第１支柱１１は、２通りの嵌合孔のうち、一方の嵌合孔１１ａおよび他方の嵌合孔１１ｂを備えている。一方の嵌合孔１１ａは、３個の嵌合孔１１ａ１、１１ａ２、１１ａ３で構成されている。これら３個の嵌合孔１１ａ１、１１ａ２、１１ａ３は、第１支柱１１の軸に沿ってそれぞれ等間隔で配設されている。他方の嵌合孔１１ｂは、３個の嵌合孔１１ｂ１、１１ｂ２、１１ｂ３で構成されている。これら３個の嵌合孔１１ｂ１、１１ｂ２、１１ｂ３も、第１支柱１１の軸に沿ってそれぞれ等間隔で配設されている。
【００３１】
嵌合孔１１ａ１、１１ａ２、１１ａ３は、これらの向きが第１支柱１１の軸周りに９０度、嵌合孔１１ｂ１、１１ｂ２、１１ｂ３の向きと異なるように、位置が調整されている。また、嵌合孔１１ａ１は嵌合孔１１ｂ１よりも上側に、嵌合孔１１ａ２は嵌合孔１１ｂ２よりも上側に、嵌合孔１１ａ３は嵌合孔１１ｂ３よりも上側に、それぞれ位置している。
【００３２】
第２支柱１２は、２通りの嵌合孔のうち、一方の嵌合孔１２ａおよび他方の嵌合孔１２ｂを備えている。一方の嵌合孔１２ａは、３個の嵌合孔１２ａ１、１２ａ２、１２ａ３で構成されている。これら３個の嵌合孔１２ａ１、１２ａ２、１２ａ３は、第２支柱１２の軸に沿ってそれぞれ等間隔で配設されている。他方の嵌合孔１２ｂは、３個の嵌合孔１２ｂ１、１２ｂ２、１２ｂ３で構成されている。これら３個の嵌合孔１２ｂ１、１２ｂ２、１２ｂ３も、第２支柱１２の軸に沿ってそれぞれ等間隔で配設されている。
【００３３】
嵌合孔１２ａ１、１２ａ２、１２ａ３は、これらの向きが第２支柱１２の軸周りに９０度、嵌合孔１２ｂ１、１２ｂ２、１２ｂ３の向きと異なるように、位置が調整されている。また、嵌合孔１２ａ１は嵌合孔１２ｂ１よりも上側に、嵌合孔１２ａ２は嵌合孔１２ｂ２よりも上側に、嵌合孔１２ａ３は嵌合孔１２ｂ３よりも上側に、それぞれ位置している。
【００３４】
第３支柱１３は、２通りの嵌合孔のうち、一方の嵌合孔１３ａおよび他方の嵌合孔１３ｂを備えている。一方の嵌合孔１３ａは、３個の嵌合孔１３ａ１、１３ａ２、１３ａ３で構成されている。これら３個の嵌合孔１３ａ１、１３ａ２、１３ａ３は、第３支柱１３の軸に沿ってそれぞれ等間隔で配設されている。他方の嵌合孔１３ｂは、３個の嵌合孔１３ｂ１、１３ｂ２、１３ｂ３で構成されている。これら３個の嵌合孔１３ｂ１、１３ｂ２、１３ｂ３も、第３支柱１３の軸に沿ってそれぞれ等間隔で配設されている。
【００３５】
嵌合孔１３ａ１、１３ａ２、１３ａ３は、これらの向きが第３支柱１３の軸周りに９０度、嵌合孔１３ｂ１、１３ｂ２、１３ｂ３の向きと異なるように、位置が調整されている。また、嵌合孔１３ａ１は嵌合孔１３ｂ１よりも下側に、嵌合孔１３ａ２は嵌合孔１３ｂ２よりも下側に、嵌合孔１３ａ３は嵌合孔１３ｂ３よりも下側に、それぞれ位置している。
【００３６】
第４支柱１４は、２通りの嵌合孔のうち、一方の嵌合孔１４ａおよび他方の嵌合孔１４ｂを備えている。一方の嵌合孔１４ａは、３個の嵌合孔１４ａ１、１４ａ２、１４ａ３で構成されている。これら３個の嵌合孔１４ａ１、１４ａ２、１４ａ３は、第４支柱１４の軸に沿ってそれぞれ等間隔で配設されている。他方の嵌合孔１４ｂは、３個の嵌合孔１４ｂ１、１４ｂ２、１４ｂ３で構成されている。これら３個の嵌合孔１４ｂ１、１４ｂ２、１４ｂ３も、第４支柱１４の軸に沿ってそれぞれ等間隔で配設されている。
【００３７】
嵌合孔１４ａ１、１４ａ２、１４ａ３は、これらの向きが第４支柱１４の軸周りに９０度、嵌合孔１４ｂ１、１４ｂ２、１４ｂ３の向きと異なるように、位置が調整されている。また、嵌合孔１４ａ１は嵌合孔１４ｂ１よりも上側に、嵌合孔１４ａ２は嵌合孔１４ｂ２よりも上側に、嵌合孔１４ａ３は嵌合孔１４ｂ３よりも上側に、それぞれ位置している。
【００３８】
なお、本実施形態においては、第１支柱１１の強度確保と嵌合孔の位置選択性を両立する観点で、一方の嵌合孔１１ａおよび他方の嵌合孔１１ｂは、それぞれ３個の嵌合孔で構成されている。一方で、この嵌合孔の個数は、３個に代えて、例えば、それぞれ２個、４個、５個、または６個等、複数の嵌合孔で構成されてもよい。また、強度確保を優先する場合には、一方の嵌合孔１１ａおよび他方の嵌合孔１１ｂは、それぞれ１個の嵌合孔で構成されてもよい。これらの変形例は、第１支柱１１に限らず、第２支柱１２、第３支柱１３、および第４支柱１４においても同様に適用され得る。
【００３９】
図３に加えて図２も参照しながら、第１支柱１１、第２支柱１２、第３支柱１３、第４支柱１４、第１梁２１、第２梁２２、第３梁２３、および第４梁２４における接続の態様について、説明する。
【００４０】
第１梁２１の一端２１ａおよび他端２１ｂは、第１支柱１１の一方の嵌合孔１１ａおよび第２支柱１２の一方の嵌合孔１２ａに、それぞれ嵌合される。この際、一端２１ａおよび他端２１ｂは、嵌合孔１１ａおよび嵌合孔１２ａにおいて、嵌入側の反対側から露呈する。一端２１ａにおける嵌合位置は、嵌合孔１１ａ１、１１ａ２、１１ａ３の中から選択可能となっている。他端２１ｂにおける嵌合位置は、嵌合孔１２ａ１、１２ａ２、１２ａ３の中から選択可能となっている。組み合わせの例としては、第１梁２１の一端２１ａおよび他端２１ｂが同じ高さとなるように、嵌合孔１１ａ１および１２ａ１、嵌合孔１１ａ２および１２ａ２、または、嵌合孔１１ａ３および１２ａ３の何れかが選択され得る。
【００４１】
第２梁２２の一端２２ａおよび他端２２ｂは、第２支柱１２の他方の嵌合孔１２ｂおよび第３支柱１３の一方の嵌合孔１３ａに、それぞれ嵌合される。この際、一端２２ａおよび他端２２ｂは、嵌合孔１２ｂおよび嵌合孔１３ａにおいて、嵌入側の反対側から露呈する。一端２２ａにおける嵌合位置は、嵌合孔１２ｂ１、１２ｂ２、１２ｂ３の中から選択可能となっている。他端２２ｂにおける嵌合位置は、嵌合孔１３ａ１、１３ａ２、１３ａ３の中から選択可能となっている。組み合わせの例としては、第２梁２２の一端２２ａおよび他端２２ｂが同じ高さとなるように、嵌合孔１２ｂ１および１３ａ１、嵌合孔１２ｂ２および１３ａ２、または、嵌合孔１２ｂ３および１３ａ３の何れかが選択され得る。
【００４２】
第３梁２３の一端２３ａおよび他端２３ｂは、第３支柱１３の他方の嵌合孔１３ｂおよび第４支柱１４の一方の嵌合孔１４ａに、それぞれ嵌合される。この際、一端２３ａおよび他端２３ｂは、嵌合孔１３ｂおよび嵌合孔１４ａにおいて、嵌入側の反対側から露呈する。一端２３ａにおける嵌合位置は、嵌合孔１３ｂ１、１３ｂ２、１３ｂ３の中から選択可能となっている。他端２３ｂにおける嵌合位置は、嵌合孔１４ａ１、１４ａ２、１４ａ３の中から選択可能となっている。組み合わせの例としては、第３梁２３の一端２３ａおよび他端２３ｂが同じ高さとなるように、嵌合孔１３ｂ１および１４ａ１、嵌合孔１３ｂ２および１４ａ２、または、嵌合孔１３ｂ３および１４ａ３の何れかが選択され得る。
【００４３】
第４梁２４の一端２４ａおよび他端２４ｂは、第４支柱１４の他方の嵌合孔１４ｂおよび第１支柱１１の他方の嵌合孔１１ｂに、それぞれ嵌合される。この際、一端２４ａおよび他端２４ｂは、嵌合孔１４ｂおよび嵌合孔１１ｂにおいて、嵌入側の反対側から露呈する。一端２４ａにおける嵌合位置は、嵌合孔１４ｂ１、１４ｂ２、１４ｂ３の中から選択可能となっている。他端２４ｂにおける嵌合位置は、嵌合孔１１ｂ１、１１ｂ２、１１ｂ３の中から選択可能となっている。組み合わせの例としては、第４梁２４の一端２４ａおよび他端２４ｂが同じ高さとなるように、嵌合孔１４ｂ１および１１ｂ１、嵌合孔１４ｂ２および１１ｂ２、または、嵌合孔１４ｂ３および１１ｂ３の何れかが選択され得る。
【００４４】
上述のように、嵌合位置が選択されるため、第１梁２１、第２梁２２、第３梁２３、および第４梁２４の高さが調整され得る。このため、間仕切り１００の使用目的に応じて、サイズ調整が容易となり得る。
【００４５】
また、第１梁２１は、第１支柱１１および第２支柱１２と、互いに直交するように接続される。第２梁２２は、第２支柱１２および第３支柱１３と、互いに直交するように接続される。第３梁２３は、第３支柱１３および第４支柱１４と、互いに直交するように接続される。第４梁２４は、第４支柱１４および第１支柱１１と、互いに直交するように接続される。これにより、シート３０が安定して吊り下げられ得る。
【００４６】
また、第１梁２１は、隣り合う第２梁２２と互いに直交するように接続される。第２梁２２は、隣り合う第３梁２３と互いに直交するように接続される。第３梁２３は、隣り合う第４梁２４と互いに直交するように接続される。第４梁２４は、隣り合う第１梁２１と互いに直交するように接続される。これにより、複数のユニット４０同士を接続して間仕切り１００を拡張する際に、設置場所に応じて、全体の間取りや区画を容易に決定することができる。
【００４７】
図１を再び参照しながら、ユニット４０同士における連結の態様について、説明する。一方のユニット４０における支柱１０と、他方のユニット４０における支柱１０とが、梁５０で接続される。この梁５０は、ユニット４０を構成する第１梁２１、第２梁２２、第３梁２３、および第４梁２４以外に、更に追加されたものであり、梁２０と同一の形状・サイズ・材質で形成されている。
【００４８】
梁５０の端部は、各支柱の嵌合孔より露呈している各梁２０の端部と接続される。梁５０および梁２０の端部の接続には、図示しないジョイントが適用される。ジョイントとしては、例えば、梁５０および梁２０それぞれの内部に嵌合可能な、紙製パイプが用いられる。梁５０および梁２０が、外径５６ｍｍ、内径５０ｍｍ、厚み３．０ｍｍ、長さ２，０００ｍｍで構成される場合、ジョイントは、外径４９．７ｍｍ、内径４５ｍｍ、厚み２．３５ｍｍ、長さ４００ｍｍで構成されると好適である。また、ジョイントの色彩を、支柱１０、梁２０、および、梁５０の色彩と異ならせると更に好適である。
【００４９】
このジョイントは、ユニット４０の梁２０に半分嵌合され、その後、嵌合されている側と反対側から、残りの半分が梁５０に嵌合される。このため、梁５０は、ジョイントおよび梁２０と同軸的に接続される。更に、梁５０および梁２０の継ぎ目は、所定のテープ等にて補強されてもよい。このように、ユニット４０の支柱１０が、梁２０の端部およびジョイントを介して、梁５０にて接続される。１本の支柱１０に対して、２本の梁２０の端部およびジョイントを介して、最大２本の梁５０が互いに直交するように接続可能となっている。このため、１つのユニット４０の４本の梁２０に対応して、最大４つのユニット４０が連結可能となっている。
【００５０】
梁５０においても、シート３０が、梁５０が貫通孔３１に貫通した状態にて、梁５０から吊り下げられるようにしてもよい。梁２０の場合と同様に、シート３０が、骨格を組み立てた後に、貫通孔３１を形成するようにシート３０の１辺端部を梁５０に巻いて、安全ピン等の係止具で留められるようになっていてもよい。これにより、ユニット４０同士の間の区画であって、梁５０で形成される区画も、活用することが可能となる。
【００５１】
以上、本考案による間仕切りの実施形態によれば、支柱１０および梁２０は軽量であり、嵌合により相互に接続される。従って、持ち運び等の作業も含め、手作業で簡単に組み立てることが可能となる。加え、嵌合孔の位置や個数の調整で、拡張やサイズ調整が容易となり得る。
【００５２】
なお、本考案による間仕切りにおける構成要素の形状、材料等は、実用新案登録請求の範囲のものであればよく、上記実施形態のものに限定されない。
【符号の説明】
【００５３】
１００…間仕切り、１０…支柱、１１…第１支柱、１１ａ…嵌合孔、１１ｂ…嵌合孔、１２…第２支柱、１２ａ…嵌合孔、１２ｂ…嵌合孔、１３…第３支柱、１３ａ…嵌合孔、１３ｂ…嵌合孔、１４…第４支柱、１４ａ…嵌合孔、１４ｂ…嵌合孔、２０…梁、２１…第１梁、２２…第２梁、２３…第３梁、２４…第４梁、３０…シート、３１…貫通孔、４０…ユニット、５０…梁
【図１】
0003230706.tif 000003
【図２】
0003230706.tif 000004
【図３】
0003230706.tif 000005